(57)【要約】  本出願は、データスケジューリング方法および関連する装置を開示し、当該方法は、ユーザ装置が、ネットワーク装置からの制御情報を受信することと、前記ユーザ装置が、前記制御情報にしたがって、許可されたリソースで伝送される複製データのバージョンを決定することと、前記ユーザ装置が、前記許可されたリソースで、前記バージョンに対応するデータを伝送することとを含む。本出願の実施例を採用することによって、ネットワークによって与えられた許可されたリソースが、ユーザ装置によってどのバージョンのデータにサービスするために使用されるかを明確にすることができる。
2020533821.tif 000002
【特許請求の範囲】
【請求項１】
データスケジューリング方法であって、
ユーザ装置が、ネットワーク装置からの制御情報を受信することと、
前記ユーザ装置が、前記制御情報にしたがって、許可されたリソースで伝送される複製データのバージョンを決定することと、
前記ユーザ装置が、前記許可されたリソースで、前記バージョンに対応するデータを伝送することと、を含む、前記データスケジューリング方法。
【請求項２】
前記制御情報は、前記許可されたリソースで伝送される複製データのバージョンを指示するための指示情報を含み、前記ユーザ装置が、前記制御情報にしたがって、許可されたリソースで伝送される複製データのバージョンを決定することは、
前記ユーザ装置が、前記指示情報にしたがって、許可されたリソースで伝送される複製データのバージョンを決定することを含む、
請求項１に記載の方法。
【請求項３】
前記方法は、
前記ユーザ装置が、前記ネットワーク装置からのシグナリングを受信することであって、前記シグナリングは、キャリアと複製データのバージョンとのマッピング関係を搬送することをさらに含み、
前記ユーザ装置が、前記制御情報にしたがって、許可されたリソースで伝送される複製データのバージョンを決定することは、
前記ユーザ装置が、前記キャリアと複製データのバージョンとのマッピング関係にしたがって、許可されたリソースで伝送される複製データのバージョンを決定することを含む、
請求項１に記載の方法。
【請求項４】
前記シグナリングは、無線リソース制御（ＲＲＣ）シグナリングまたはシステム情報を含む、
請求項３に記載の方法。
【請求項５】
前記制御情報は、許可されたリソースの目的ユーザ装置を指示するためのユーザ装置アイデンティティ（ＩＤ）を含み、前記ユーザ装置が、前記許可されたリソースで、前記バージョンに対応するデータを伝送することは、
前記ユーザ装置が、前記許可されたリソースで前記ユーザ装置ＩＤの前記バージョンに対応するデータを伝送することを含む、
請求項１ないし４のいずれか一項に記載の方法。
【請求項６】
前記制御情報は、サイドリンク制御情報（ＳＣＩ）であり、前記指示情報は、前記ＳＣＩに新たに追加された第１のビット情報であり、前記ユーザ装置ＩＤは、前記ＳＣＩに新たに追加された第２のビット情報である、
請求項２または５に記載の方法。
【請求項７】
データスケジューリング方法であって、
ネットワーク装置が制御情報を構成することであって、前記制御情報は、許可されたリソースで伝送される複製データのバージョンを決定するために使用されることと、
前記ネットワーク装置が前記制御情報を送信することと、を含む、前記データスケジューリング方法。
【請求項８】
前記制御情報は、前記許可されたリソースで伝送される複製データのバージョンを指示するために使用される前記指示情報を含む、
請求項７に記載の方法。
【請求項９】
前記方法は、
前記ネットワーク装置は、キャリアと複製データのバージョンとのマッピング関係を搬送するシグナリングを送信することであって、前記キャリアと複製データのバージョンとのマッピング関係は、許可されたリソースで伝送される複製データのバージョンを決定するために使用されることをさらに含む、
請求項７に記載の方法。
【請求項１０】
前記シグナリングは、無線リソース制御（ＲＲＣ）シグナリングまたはシステム情報を含む、
請求項９に記載の方法。
【請求項１１】
前記制御情報は、許可されたリソースの目的ユーザ装置を指示するためのユーザ装置アイデンティティ（ＩＤ）を含む、
請求項７ないし１０のいずれか一項に記載の方法。
【請求項１２】
前記制御情報は、サイドリンク制御情報（ＳＣＩ）であり、前記指示情報は、前記ＳＣＩに新たに追加された第１のビット情報であり、前記ユーザ装置ＩＤは、前記ＳＣＩに新たに追加された第２のビット情報である、
請求項８または１０に記載の方法。
【請求項１３】
通信ユニットおよび処理ユニットを含むユーザ装置であって、
前記処理ユニットは、前記通信ユニットによって、ネットワーク装置からの制御情報を受信し、前記制御情報にしたがって、許可されたリソースで伝送される複製データのバージョンを決定し、前記通信ユニットによって、前記許可されたリソースで、前記バージョンに対応するデータを伝送するために使用される、前記ユーザ装置。
【請求項１４】
通信ユニットおよび処理ユニットを含むネットワーク装置であって、
前記処理ユニットは、許可されたリソースで伝送される複製データのバージョンを決定するための制御情報を構成し、前記通信ユニットによって前記制御情報を送信するために使用される、前記ネットワーク装置。
【請求項１５】
１つ以上のプロセッサ、１つ以上のメモリ、１つ以上のトランシーバ、および１つ以上のプログラムを含むユーザ装置であって、
前記１つ以上のプログラムは、前記メモリに記憶されて、前記１つ以上のプロセッサによって実装されるように構成され、前記プログラムは、請求項１ないし６のいずれか一項に記載の方法におけるステップを実行するための命令を含む、前記ユーザ装置。
【請求項１６】
１つ以上のプロセッサ、１つ以上のメモリ、１つ以上のトランシーバ、および１つ以上のプログラムを含むネットワーク装置であって、
前記１つ以上のプログラムは、前記メモリに記憶されて、前記１つ以上のプロセッサによって実行されるように構成され、前記プログラムは、請求項７ないし１２のいずれか一項に記載の方法におけるステップを実行するための命令を含む。
【請求項１７】
電子データ交換のためのコンピュータプログラムを記憶するコンピュータ読み取り可能な記憶媒体であって、
前記コンピュータプログラムが、コンピュータに請求項１ないし６のいずれか一項に記載の方法を実行させる、前記コンピュータ読み取り可能な記憶媒体。
【請求項１８】
電子データ交換のためのコンピュータプログラムを記憶するコンピュータ読み取り可能な記憶媒体であって、
前記コンピュータプログラムが、コンピュータに請求項７ないし１２のいずれか一項に記載の方法を実行させる、前記コンピュータ読み取り可能な記憶媒体。
【請求項１９】
コンピュータプログラムを記憶する非一時的なコンピュータ読み取り可能な記憶媒体を含むコンピュータプログラム製品であって、
前記コンピュータプログラムは、コンピュータに請求項１ないし６のいずれか一項に記載の方法を実行させるように動作可能である、前記コンピュータプログラム製品。
【請求項２０】
コンピュータプログラムを記憶する非一時的なコンピュータ読み取り可能な記憶媒体を含むコンピュータプログラム製品であって、
前記コンピュータプログラムは、コンピュータに請求項７ないし１２のいずれか一項に記載の方法を実行させるように動作可能である、前記コンピュータプログラム製品。
【発明の詳細な説明】
【技術分野】
【０００１】
本出願は、通信技術分野に関し、特に、データスケジューリング方法および関連する装置に関する。
【背景技術】
【０００２】
カーネットワーキングシステムは、ロングタームエボリューション（ＬＴＥ：Ｌｏｎｇ  Ｔｅｒｍ  Ｅｖｏｌｕｔｉｏｎ）−デバイスからデバイス（Ｄ２Ｄ：Ｄｅｖｉｃｅ  ｔｏ  Ｄｅｖｉｃｅ）に基づくサイドリンク（ＳＬ：Ｓｉｄｅｌｉｎｋ）伝送技術であり、基地局を介して通信データを送受信する従来のＬＴＥシステムの伝送方式とは異なって、カーネットワーキングシステムは、ユーザ装置（ＵＥ：Ｕｓｅｒ  Ｅｑｕｉｐｍｅｎｔ）からユーザ装置に直接に通信する方式を使用するため、スペクトル効率が高く、伝送遅延も低い。
【０００３】
キャリアアグリゲーション（ＣＡ：ｃａｒｒｉｅｒ  ａｇｇｒｅｇａｔｉｏｎ）に対しては、データ複製伝送（ｄａｔａ  ｄｕｐｌｉｃａｔｉｏｎ）がサポートされる。データ複製伝送は、パケットデータ収束プロトコル層（ＰＤＣＰ：Ｐａｃｋｅｔ  Ｄａｔａ  Ｃｏｎｖｅｒｇｅｎｃｅ  Ｐｒｏｔｏｃｏｌ）またはメディアアクセス制御層（ＭＡＣ：Ｍｅｄｉａ  Ａｃｃｅｓｓ  Ｃｏｎｔｒｏｌ）を利用したデータを複製する機能であって、複製されたプロトコルデータユニット（ＰＤＵ：Ｐｒｏｔｏｃｏｌ  Ｄａｔａ）を、２つの無線リンク制御層プロトコル（ＲＬＣ：Ｒａｄｉｏ  Ｌｉｎｋ  Ｃｏｎｔｒｏｌ）エンティティ（ｅｎｔｉｔｙ）にそれぞれ伝送させ、複製されたＰＤＵが異なる物理層アグリゲーションキャリアで伝送することができるように確保して、周波数ダイバーシティゲインを実現することにより、データ伝送の信頼性を向上させる。
【０００４】
ネットワークによってリソースのスケジューリングを行うモードを使用する場合、データ複製モードでは、ユーザ装置間で伝送される複製データを異なるキャリアに多重化する必要がある。
【発明の概要】
【発明が解決しようとする課題】
【０００５】
本出願の実施例において、データスケジューリング方法および関連する装置を提供し、ネットワークによって与えられた許可されたリソースが、ユーザ装置によってどのバージョンのデータにサービスするために使用されるかを明確にすることができる。
【課題を解決するための手段】
【０００６】
第１の態様において、本出願の実施例は、
ユーザ装置が、ネットワーク装置からの制御情報を受信することと、
前記ユーザ装置が、前記制御情報にしたがって、許可されたリソースで伝送される複製データのバージョンを決定することと、
前記ユーザ装置が、前記許可されたリソースで、前記バージョンに対応するデータを伝送することと、を含む、データスケジューリング方法を提供する。
【０００７】
第２の態様において、本出願の実施例は、
ネットワーク装置が制御情報を構成することであって、前記制御情報は、許可されたリソースで伝送される複製データのバージョンを決定するために使用されることと、
前記ネットワーク装置が前記制御情報を送信することと、を含む、データスケジューリング方法を提供する。
【０００８】
第３の態様において、本出願の実施例は、通信ユニットおよび処理ユニットを含むユーザ装置を提供し、
前記処理ユニットは、前記通信ユニットによって、ネットワーク装置からの制御情報を受信し、前記制御情報にしたがって、許可されたリソースで伝送される複製データのバージョンを決定し、前記通信ユニットによって、前記許可されたリソースで、前記バージョンに対応するデータを伝送するために使用される。
【０００９】
第４の態様において、本出願の実施例は、通信ユニットおよび処理ユニットを含むネットワーク装置を提供し、
前記処理ユニットは、許可されたリソースで伝送される複製データのバージョンを決定するための制御情報を構成し、前記通信ユニットによって前記制御情報を送信するために使用される。
【００１０】
第５の態様において、本発明の実施例は、１つ以上のプロセッサ、１つ以上のメモリ、１つ以上のトランシーバ、および１つ以上のプログラムを含むユーザ装置であって、前記１つ以上のプログラムは、前記メモリに記憶されて、前記１つ以上のプロセッサによって実行されるように構成され、前記プログラムは、第１の態様に記載の方法におけるステップを実行するための命令を含む、ユーザ装置を提供する。
【００１１】
第６の態様において、本発明の実施例は、１つ以上のプロセッサ、１つ以上のメモリ、１つ以上のトランシーバ、および１つ以上のプログラムを含むユーザ装置であって、前記１つ以上のプログラムは、前記メモリに記憶されて、前記１つ以上のプロセッサによって実行されるように構成され、前記プログラムは、第２の態様に記載の方法におけるステップを実行するための命令を含む、ユーザ装置を提供する。
【００１２】
第７の態様において、本発明の実施例は、電子データ交換のためのコンピュータプログラムを記憶するコンピュータ読み取り可能な記憶媒体であって、前記コンピュータプログラムが、コンピュータに第１の態様に記載の方法を実行させる、コンピュータ読み取り可能な記憶媒体を提供する。
【００１３】
第８の態様において、本発明の実施例は、電子データ交換のためのコンピュータプログラムを記憶するコンピュータ読み取り可能な記憶媒体であって、前記コンピュータプログラムは、コンピュータに第２の態様に記載の方法を実行させる、コンピュータ読み取り可能な記憶媒体を提供する。
【００１４】
第９の態様において、本発明の実施例は、コンピュータプログラムを記憶する非一時的なコンピュータ読み取り可能な記憶媒体を含むコンピュータプログラム製品であって、前記コンピュータプログラムは、コンピュータに第１の態様に記載の方法を実行させるように動作可能である、コンピュータプログラム製品を提供する。
【００１５】
第１０の態様において、本発明の実施例は、コンピュータプログラムを記憶する非一時的なコンピュータ読み取り可能な記憶媒体を含むコンピュータプログラム製品であって、前記コンピュータプログラムは、コンピュータに第２の態様に記載の方法を実行させるように動作可能である、コンピュータプログラム製品を提供する。
【００１６】
本出願のこれらの態様または他の態様は、以下の実施例に対する記述によってより簡単で分かりやすくなる。
【図面の簡単な説明】
【００１７】
【図１】本出願の実施例によって提供されるモード３のネットワークアーキテクチャの模式図である。
【図２】本出願の実施例によって提供されるモード４のネットワークアーキテクチャの模式図である。
【図３】本出願の実施例によって提供されるデータスケジューリング方法のプロセス模式図である。
【図４】本出願の実施例によって提供されるプロトコル構造模式図である。
【図５】本出願の実施例によって提供される別のデータスケジューリング方法のプロセス模式図である。
【図６】本出願の実施例によって提供される別のデータスケジューリング方法のプロセス模式図である。
【図７】本出願の実施例によって提供されるユーザ装置の構造模式図である。
【図８】本出願の実施例によって提供されるネットワーク装置の構造模式図である。
【図９】本出願の実施例によって提供される別のユーザ装置の構造模式図である。
【図１０】本出願の実施例によって提供される別のネットワーク装置の構造模式図である。
【図１１】本出願の実施例によって提供される別のユーザ装置の構造模式図である。
【発明を実施するための形態】
【００１８】
本出願の実施例または先行技術における技術的解決策をより明確に説明するために、実施例または先行技術の説明で使用される図面について以下に簡単に紹介する。以下に説明される図面は、単なる本出願のいくつかの実施例であり、当業者にとっては、創造的な作業なしに、これらの図面にしたがって他の図面を得ることもできることは自明である。
【００１９】
以下は、当業者が本出願の技術案をよりよく理解するために、本出願の実施例における図面を参照して、本出願の実施例における技術的解決策を明確かつ完全に説明し、説明した実施例は、本出願の一部の実施例に過ぎず、すべての実施例ではないことは明らかであろう。本出願における実施例に基づいて、当業者が創造的な作業なしに得られた他のすべての実施例は本出願の保護範囲に含まれるべきである。
【００２０】
以下は、それぞれ詳細に説明する。
【００２１】
本出願の明細書と特許請求の範囲及び前記図面における用語「第１」、「第２」、「第３」および「第４」などは異なる対象を区別するために使用され、特定の順序を説明するためには使用されない。なお、用語「含む」と「備える」およびこれらのいずれの変形は、非排他的な包含を網羅することを意図する。例えば、一連のステップまたはユニットを含むプロセス、方法、システム、製品または装置は、既に挙げられたステップまたはユニットに限定されず、選択的に挙げられないステップまたはユニットをさらに含み、または選択的にこれらのプロセス、方法、製品または装置に対して固有である他のステップまたはユニットをさらに含むこともできる。
【００２２】
本明細書に言及された「実施例」は、実施例を参照して説明した特定の特徴、構造または特性が、本出願の少なくとも１つの実施例に含まれることができることを意味する。明細書における各位置での当該フレーズの出現は、必ずしも同じ実施例を指すわけではなく、他の実施例と相互に排他的に独立したまたは予備の実施例でもない。当業者は、本明細書に記載の実施例を他の実施例と組み合わせることができることを明示的および暗黙的に理解する、
以下、本出願の実施例を図面を参照して説明する。
【００２３】
車両間（Ｖ２Ｘ：Ｖｅｈｉｃｌｅ  ｔｏ  Ｖｅｈｉｃｌｅ）は、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）  Ｒｅｌ−１４で標準化され、モード３及びモード４の二種類の伝送モードを定義した。モード３のネットワークアーキテクチャ図は、図１に示されたようであり、モード３で、ユーザ装置（車両端末など）の伝送リソースは、ネットワーク装置によって割り当てられ、ユーザ装置は、ネットワーク装置によって割り当てられたリソースをサイドリンクでデータを送信する。ネットワーク装置は、ユーザ装置に一回伝送のリソースを割り当てることができ、さらにユーザ装置に準静的に伝送されるリソースを割り当てることもできる。モード４のネットワークアーキテクチャ図は、図２に示されたようであり、モード４で、ユーザ装置（車両端末など）は、検知（ｓｅｎｓｉｎｇ）＋予約（ｒｅｓｅｒｖａｔｉｏｎ）の伝送方式を使用する。ユーザ装置は、リソースプールで検知の方式で利用可能な伝送リソースセットを取得し、ユーザ装置は、当該セットから１つのリソースをランダムに選択してデータを伝送する。カーネットワーキングシステムにおける業務には周期的な特徴があるため、ユーザ装置は通常、準静的な伝送方式を採用し、即ち、ユーザ装置が１つの伝送リソースを選択した後、複数の伝送周期の中で当該リソースを継続的に使用することにより、リソース再選択およびリソースの競合の確立を低下させる。ユーザ装置は、現在伝送の制御情報に次回の伝送リソースを予約する情報を搬送するため、他のユーザ装置は、当該ユーザ装置の制御情報を検出することにより、このリソースが当該ユーザ装置によって予約及び使用されるかどうかを判断することができ、リソース競合の目的を減らす。
【００２４】
ネットワークによってリソーススケジューリングされるモードを採用する場合、データ複製モードで、ユーザ装置間に伝送される複製データは、異なるキャリアに多重化する必要がある。これからわかるように、ネットワーク装置に許可されたリソース（ｇｒａｎｔ）を与える必要がある場合、ネットワーク装置は、当該許可されたリソースがユーザ装置ユーザによってどのバージョンのデータにサービスするために使用されるかを明確にして、ユーザ装置が許可されたリソースを受信すると、ユーザ装置は、ネットワーク装置が当該許可されたリソースがユーザ装置によってどのバージョンのデータにサービスするために使用されるのを期待するかを明確にする。
【００２５】
前記問題を解決するために、本技術案において、ネットワーク装置は、まず１つの制御情報を構成し、この制御情報は、許可されたリソースで伝送される複製データのバージョンを決定するために使用されるものとして定義され、その後、ネットワーク装置は、この制御情報を送信し、ユーザ装置がこの制御情報を受信した場合、ユーザ装置は、この制御情報によって、ネットワーク装置が当該許可されたリソースがユーザ装置によってどのバージョンのデータにサービスするために使用されるのを期待するかを明確にすることができる。
【００２６】
ここで、ユーザ装置は、音声および／またはデータ連通性をユーザに提供する装置であり、例えば、無線接続機能を備えるハンドヘルドデバイス、車載デバイス等である。一般的なユーザ装置は、例えば、携帯電話、タブレット、ラップトップ、ポケットコンピュータ、モバイルインターネットデバイス（ＭＩＤ：ｍｏｂｉｌｅ  ｉｎｔｅｒｎｅｔ  ｄｅｖｉｃｅ）、スマートウォッチ、スマートブレスレット、歩数計などのウェアラブルデバイスが含まれる。
【００２７】
ここで、ネットワーク装置は、ネットワーク側のノード装置を指し、例えば、ネットワーク装置は、セルラーネットワークのアクセスネットワーク側の無線アクセスネットワーク（ＲＡＮ：Ｒａｄｉｏ  Ａｃｃｅｓｓ  Ｎｅｔｗｏｒｋ）装置であってもよく、いわゆるＲＡＮ装置は、ユーザ装置を無線ネットワーク的装置に接続するデバイスであり、エボリューションノードＢ（ｅＮＢ：ｅｖｏｌｖｅｄ  Ｎｏｄｅ  Ｂ）、無線ネットワークコントローラ（ＲＮＣ：ｒａｄｉｏ  ｎｅｔｗｏｒｋ  ｃｏｎｔｒｏｌｌｅｒ）、ノードＢ（ＮＢ：Ｎｏｄｅ  Ｂ）、基地局コントローラ（ＢＳＣ：Ｂａｓｅ  Ｓｔａｔｉｏｎ  Ｃｏｎｔｒｏｌｌｅｒ）、ベーストランシーバーステーション（ＢＴＳ：Ｂａｓｅ  Ｔｒａｎｓｃｅｉｖｅｒ  Ｓｔａｔｉｏｎ）、ホームノードＢ（例えば、ＨＮＢ：Ｈｏｍｅ  ｅｖｏｌｖｅｄ  ＮｏｄｅＢまたはＨｏｍｅ  Ｎｏｄｅ  Ｂ）、ベースバンドユニット（ＢＢＵ：ＢａｓｅＢａｎｄ  Ｕｎｉｔ）、モビリティ管理エンティティ（ＭＭＥ：Ｍｏｂｉｌｉｔｙ  Ｍａｎａｇｅｍｅｎｔ  Ｅｎｔｉｔｙ）を含むが、これに限定されなく、そして、例えば、ネットワーク装置は、さらに、例えば、アクセスコントローラ（ＡＣ：ａｃｃｅｓｓ  ｃｏｎｔｒｏｌｌｅｒ）、ゲートウェイ、またはＷＩＦＩアクセスポイント（ＡＰ：Ａｃｃｅｓｓ  Ｐｏｉｎｔ）などのワイヤレスローカルエリアネットワーク（ＷＬＡＮ：Ｗｉｒｅｌｅｓｓ  Ｌｏｃａｌ  Ａｒｅａ  Ｎｅｔｗｏｒｋ）におけるノード装置であることもできる。
【００２８】
以下、本出願の実施例によって提供されるデータスケジューリング方法を、図１及び図２に示すネットワークアーキテクチャを参照して詳しく説明する。
【００２９】
図３を参照すると、図３は、本出願の実施例によって提供されるデータスケジューリング方法のプロセス模式図であり、当該データスケジューリング方法は、ＭＡＣ層の複製（Ｄｕｐｌｉｃａｔｉｏｎ）に向けられた場合であり、例えば、図４に示されたように、ＭＡＣ層で１つのＭＡＣ  ＰＤＵをＭＡＣ  ＰＤＵ  ｖｅｒｓｉｏｎ  Ａ及びＭＡＣ  ＰＤＵ  ｖｅｒｓｉｏｎ  Ｂに複製して、ＭＡＣ  ＰＤＵ  ｖｅｒｓｉｏｎ  Ａが物理的キャリア（ｐｈｙｓｉｃａｌ  Ｃａｒｒｉｅｒ）１で伝送され、ＭＡＣ  ＰＤＵ  ｖｅｒｓｉｏｎ  Ｂは、物理的キャリア２で伝送される。物理的キャリア１は、物理的キャリア２とは異なって、１つのハイブリッド自動再送要求（ＨＡＲＱ：Ｈｙｂｒｉｄ  Ａｕｔｏｍａｔｉｃ  Ｒｅｐｅａｔ−ｒｅＱｕｅｓｔ）エンティティは、１つの物理的キャリアに対応し、当該方法は、次のステップを含む。
【００３０】
ステップ３０１において、ネットワーク装置が制御情報を構成し、前記制御情報は、許可されたリソースで伝送される複製データのバージョンを決定するために使用される。
【００３１】
ここで、前記制御情報は、サイドリンク制御情報（ＳＣＩ：Ｓｉｄｅｌｉｎｋ  Ｃｏｎｔｒｏｌ  Ｉｎｆｏｒｍａｔｉｏｎ）、または他のリンク制御情報であることができ、これは本明細書に限定されない。
【００３２】
一例として、前記制御情報は、許可されたリソースの時間周波数位置情報、指示情報、ユーザ装置アイデンティティ（ＩＤ）、ＨＡＲＱプロセスＩＤ、新しいデータ指示などのうちの少なくとも１つを含む。
【００３３】
ここで、前記指示情報は、前記許可されたリソースで伝送される複製データのバージョンを指示するために使用される。
【００３４】
さらに、当前記制御情報がＳＣＩである場合、前記指示情報は、前記ＳＣＩに新たに追加された第１のビット情報である。
【００３５】
例えば、ネットワーク装置がＳＣＩを構成するとき、１つの１ビット（ｂｉｔ）の情報（即ち、第１のビット情報）がＳＣＩに新たに追加され、新たに追加された１ビットの情報は、前記許可されたリソースで伝送される複製データのバージョンを指示するために使用される。例えば、ＭＡＣ層で１つのＭＡＣ  ＰＤＵをＭＡＣ  ＰＤＵ  ｖｅｒｓｉｏｎ  Ａ（バージョンＡ）及びＭＡＣ  ＰＤＵ  ｖｅｒｓｉｏｎ  Ｂ（バージョンＢ）に複製した場合、ネットワーク装置が、前記許可されたリソースがｖｅｒｓｉｏｎ  Ａのデータを伝送するために使用されることを希望すると、ネットワーク装置は、追加された１ビット情報の値を「０」と設定し、ネットワーク装置が、前記許可されたリソースがｖｅｒｓｉｏｎ  Ｂのデータを伝送するために使用されることを希望すると、ネットワーク装置は、追加された１ビット情報の値を「１」と設定する。
【００３６】
さらに、前記制御情報がＳＣＩである場合、前記指示情報は、前記ＳＣＩ中の１つの予約ビットを利用して定義される。
【００３７】
例えば、ネットワーク装置がＳＣＩを構成する場合、ＳＣＩ中の１つの予約ビットを利用して１つの新しい情報（即ち、指示情報）を定義し、新しく定義された情報は、前記許可されたリソースで伝送される複製データのバージョンを指示するために使用される。例えば、ＭＡＣ層で１つのＭＡＣ  ＰＤＵをＭＡＣ  ＰＤＵ  ｖｅｒｓｉｏｎ  ＡおよびＭＡＣ  ＰＤＵ  ｖｅｒｓｉｏｎ  Ｂに複製した場合、ネットワーク装置が、前記許可されたリソースがｖｅｒｓｉｏｎ  Ａのデータを伝送するために使用されることを希望すると、ネットワーク装置は、新しく定義された情報ビットの値を「０」と設定し、ネットワーク装置が、前記許可されたリソースがｖｅｒｓｉｏｎ  Ｂのデータを伝送するために使用されることを希望すると、ネットワーク装置は、新しく定義された情報ビットの値を「１」と設定する。
【００３８】
ここで、前記ユーザ装置ＩＤは、許可されたリソースの目的ユーザ装置を指示するために使用される。
【００３９】
さらに、前記制御情報がＳＣＩである場合、前記ユーザ装置ＩＤは、前記ＳＣＩに新たに追加された第２のビット情報である。
【００４０】
例えば、ネットワーク装置がＳＣＩを構成する場合、１つのマルチビット（例えば、３２ビット）の情報（即ち、第２のビット情報）がＳＣＩに追加され、追加されたマルチビットの情報は、許可されたリソースの目的ユーザ装置を指示するために使用される。例えば、現在、ユーザ装置Ａ、ユーザ装置Ｂ及びユーザ装置Ｃなど、３つのＤ２Ｄユーザ装置があって、ネットワーク装置は、許可されたリソースをユーザ装置Ａに送信し、ネットワーク装置が、この許可されたリソースの目的ユーザ装置がユーザ装置Ｂであることを希望する場合、ネットワーク装置が、追加されたマルチビット情報をユーザ装置ＢのＩＤとして設定する。
【００４１】
さらに、前記制御情報がＳＣＩである場合、前記ユーザ装置ＩＤは、前記ＳＣＩ中の複数の予約ビットを利用して定義する。
【００４２】
例えば、ネットワーク装置がＳＣＩを構成する場合、ＳＣＩ中の複数の予約ビットを利用して、１つの新しい情報（即ち、ユーザ装置ＩＤ）を定義し、新しく定義された情報は、許可されたリソースの目的ユーザ装置を指示するために使用される。例えば、現在、ユーザ装置Ａ、ユーザ装置Ｂ及びユーザ装置Ｃなど、３つのＤ２Ｄユーザ装置があって、ネットワーク装置は、許可されたリソースをユーザ装置Ａに送信し、ネットワーク装置が、この許可されたリソースの目的ユーザ装置がユーザ装置Ｂであることを希望する場合、ネットワーク装置が、新しく定義された情報をユーザ装置ＢのＩＤとして設定する。
【００４３】
ここで、ユーザ装置ＩＤは、１つのユーザ装置のＩＤを表すこともでき、１セットのユーザ装置のＩＤを表すこともでき、これは本明細書に限定されない。
【００４４】
ステップ３０２において、前記ネットワーク装置が前記制御情報を送信する。
【００４５】
ここで、ネットワーク装置がユーザ装置に制御情報を送信することは、ネットワーク装置がユーザ装置に直接に送信してもよく、他のネットワーク装置を介してユーザ装置に送信してもよく、これは本明細書に限定されない。
【００４６】
ステップ３０３において、前記ユーザ装置が、前記制御情報にしたがって、許可されたリソースで伝送される複製データのバージョンを決定する。
【００４７】
一例として、前記制御情報は、指示情報を含み、前記指示情報は、前記許可されたリソースで伝送される複製データのバージョンを指示するために使用され、前記ユーザ装置が、前記制御情報にしたがって、許可されたリソースで伝送される複製データのバージョンを決定することの具体的な実施形態は、
前記ユーザ装置が、前記指示情報にしたがって、許可されたリソースで伝送される複製データのバージョンを決定することである。
【００４８】
例えば、ＭＡＣ層で１つのＭＡＣ  ＰＤＵをＭＡＣ  ＰＤＵ  ｖｅｒｓｉｏｎ  ＡおよびＭＡＣ  ＰＤＵ  ｖｅｒｓｉｏｎ  Ｂに複製した場合、制御情報がＳＣＩであり、指示情報はＳＣＩに新たに追加された１つの１ビットの情報であり、追加された１ビット情報の値を「０」と設定した場合、許可されたリソースがｖｅｒｓｉｏｎ  Ａのデータを伝送するために使用されることを示し、追加された１ビット情報の値を「１」と設定した場合、許可されたリソースがｖｅｒｓｉｏｎ  Ｂのデータを伝送するために使用されることを示す。ユーザ装置が、ネットワーク装置からのＳＣＩを解析して、ＳＣＩに新たに追加された１ビット情報の値が０であることを得るとき、ユーザ装置は、ネットワーク装置が、ユーザ装置が許可されたリソースでｖｅｒｓｉｏｎ  Ａのデータを伝送することを希望すると決定する。
【００４９】
一例として、前記方法は、
前記ネットワーク装置は、キャリアと複製データのバージョンとのマッピング関係を搬送するシグナリングを送信し、前記キャリアと複製データのバージョンとのマッピング関係は、許可されたリソースで伝送される複製データのバージョンを決定するために使用されることと、
前記ユーザ装置は、前記ネットワーク装置からのシグナリングを受信することと、を含み、
前記ユーザ装置が、前記制御情報にしたがって、許可されたリソースで伝送される複製データのバージョンを決定することの具体的な実施形態は、
前記ユーザ装置が、前記キャリアと複製データのバージョンとのマッピング関係にしたがって、許可されたリソースで伝送される複製データのバージョンを決定することである。
【００５０】
具体的に、ネットワーク装置は、予めに１つのキャリアと複製データのバージョンとのマッピング関係を定義した後、ネットワーク装置は、シグナリングを介して当該マッピング関係をユーザ装置に送信し、後続のネットワーク装置はユーザ装置に許可されたリソースを送信し、ユーザ装置は、許可されたリソースの時間周波数位置にしたがって、許可されたリソースがどのキャリアに対応するかを決定し、最終的に、ユーザ装置は、再びに当該マッピング関係にしたがって、ネットワーク装置が、ユーザ装置がこの許可されたリソースでどのバージョンのデータを伝送するかを希望することを決定する。ここで、ＭＡＣ層で１つのＭＡＣ  ＰＤＵをＭＡＣ  ＰＤＵ  ｖｅｒｓｉｏｎ  ＡおよびＭＡＣ  ＰＤＵ  ｖｅｒｓｉｏｎ  Ｂに複製した場合、キャリアと複製データのバージョンとのマッピング関係は、例えば、表１に示されたようである。例えば、キャリアと複製データのバージョンとのマッピング関係が、表１に示されたようであり、ネットワーク装置は、ユーザ装置に送信した許可されたリソースはキャリア２に対応するとした場合、ユーザ装置は、表１にしたがって、ネットワーク装置が、ユーザ装置が許可されたリソースでｖｅｒｓｉｏｎ  Ａのデータを伝送することを希望することを決定することができる。
【００５１】
【表１】
2020533821.tif 000003
【００５２】
さらに、前記シグナリングは、無線リソース制御（ＲＲＣ：Ｒａｄｉｏ  Ｒｅｓｏｕｒｃｅ  Ｃｏｎｔｒｏ）シグナリングまたはシステム情報を含む。
【００５３】
具体的に、ネットワーク装置とユーザ装置とが接続を構築する場合にＲＲＣシグナリングおよびシステム情報をすべて必要とするため、ネットワーク装置は、ＲＲＣシグナリングまたはシステム情報を介して、キャリアと複製データのバージョンとのマッピング関係を構成することにより、シグナリングにオーバーヘッドを削減することができる。
【００５４】
ステップ３０４において、ユーザ装置は、ネットワーク装置からの前記制御情報を受信し、前記ユーザ装置が、前記許可されたリソースで、前記バージョンに対応するデータを伝送する。
【００５５】
一例として、前記制御情報は、許可されたリソースの目的ユーザ装置を指示するためのユーザ装置ＩＤを含み、前記ユーザ装置が、前記許可されたリソースで、前記バージョンに対応するデータを伝送することの具体的な実施形態は、
前記ユーザ装置が、前記許可されたリソースで前記ユーザ装置ＩＤの前記バージョンに対応するデータを伝送することである。
【００５６】
例えば、現在、ユーザ装置Ａ、ユーザ装置Ｂ及びユーザ装置Ｃなど、３つのＤ２Ｄユーザ装置があると仮定すると、ネットワーク装置は、ユーザ装置Ａに制御情報を送信し、ユーザ装置Ａは制御情報を受信した後、ユーザ装置Ａは、制御情報を解析して、ユーザ装置ＩＤがユーザ装置ＢのＩＤであることを取得し、ユーザ装置Ａは、許可されたリソースの目的ユーザ装置がユーザ装置Ｂであることを知ることができて、ユーザ装置Ａが許可されたリソースでユーザ装置Ｂのデータを伝送する。
【００５７】
これからわかるように、本技術案において、ネットワーク装置は、まず、１つの制御情報を構成し、この制御情報は、許可されたリソースで伝送される複製データのバージョンを決定するためのものとして定義された後、ネットワーク装置は、この制御情報を送信し、ユーザ装置がこの制御情報を受信した場合、ユーザ装置は、この制御情報にしたがって、ネットワーク装置が当該許可されたリソースがユーザ装置によってどのバージョンのデータにサービスするために使用されるのを期待するかを明確にすることができる。
【００５８】
図５を参照すると、図５は、本発明の実施例によって提供される別のデータスケジューリング方法であって、当該方法は、次のステップを含む。
【００５９】
ステップ５０１において、ネットワーク装置は、許可されたリソースを指示する制御情報を構成し、前記制御情報は、前記許可されたリソースで伝送される複製データのバージョンを指示するための指示情報および許可されたリソースの目的ユーザ装置を指示するためのユーザ装置ＩＤを含む。
【００６０】
ステップ５０２において、ネットワーク装置は、前記制御情報を送信する。
【００６１】
ステップ５０３において、ユーザ装置は、ネットワーク装置からの前記制御情報を受信し、前記ユーザ装置が、前記指示情報にしたがって、許可されたリソースで伝送される複製データのバージョンを決定する。
【００６２】
ステップ５０４において、前記ユーザ装置が、前記許可されたリソースで前記ユーザ装置ＩＤの前記バージョンに対応するデータを伝送する。
【００６３】
図５に記載の方法の各ステップの具体的な具現方法は、前述の方法を参照することができ、ここでは説明されないことに留意されたい。
【００６４】
図６を参照すると、図６は、本発明の実施例によって提供される別のデータスケジューリング方法であって、当該方法は、次のステップを含む。
【００６５】
ステップ６０１において、ネットワーク装置は、シグナリングを送信し、前記ユーザ装置は、前記キャリアと複製データのバージョンとのマッピング関係を搬送するシグナリングを受信し、前記シグナリングは、ＲＲＣシグナリングまたはシステム情報を含む。
【００６６】
ステップ６０２において、ネットワーク装置は、許可されたリソースを指示する制御情報を構成し、前記制御情報は、許可されたリソースの目的ユーザ装置を指示するためのユーザ装置ＩＤを含む。
【００６７】
ステップ６０３において、前記ネットワーク装置は、制御情報を送信する。
【００６８】
ステップ６０４において、前記ユーザ装置は、前記制御情報を受信し、前記ユーザ装置が、前記キャリアと複製データのバージョンとのマッピング関係にしたがって、許可されたリソースで伝送される複製データのバージョンを決定する。
【００６９】
ステップ６０５において、前記ユーザ装置が、前記許可されたリソースで前記ユーザ装置ＩＤの前記バージョンに対応するデータを伝送する。
【００７０】
図６に記載の方法の各ステップの具体的な具現方法は、前述の方法を参照することができ、ここでは説明されないことに留意されたい。
【００７１】
前述の図３に示された実施例と同様に、図７を参照して、図７は、本発明の実施例によって提供されるユーザ装置の構造模式図であり、図に示されたように、当該ユーザ装置は、１つ以上のプロセッサ、１つ以上のメモリ、１つ以上のトランシーバおよび１つ以上のプログラムを含み、ここで、前記１つ以上のプログラムは、前記メモリに記憶されて、前記１つ以上のプロセッサによって実行されるように構成され、前記プログラムは、
ネットワーク装置からの制御情報を受信し、
前記制御情報にしたがって、許可されたリソースで伝送される複製データのバージョンを決定し、
前記許可されたリソースで前記バージョンに対応するデータを伝送するステップを実行するための命令を含む。
【００７２】
一例として、前記制御情報は、前記許可されたリソースで伝送される複製データのバージョンを指示するための指示情報を含み、前記制御情報にしたがって、許可されたリソースで伝送される複製データのバージョンを決定する側面では、前記プログラムは、具体的に、
前記指示情報にしたがって、許可されたリソースで伝送される複製データのバージョンを決定するステップを実行するための命令を含む。
【００７３】
一例として、前記プログラムは、
キャリアと複製データのバージョンとのマッピング関係を搬送する、前記ネットワーク装置からのシグナリングを受信するステップをさらに実行するための命令を含み、
前記制御情報にしたがって、許可されたリソースで伝送される複製データのバージョンを決定する側面では、前記プログラムは、具体的に、
前記キャリアと複製データのバージョンとのマッピング関係にしたがって、許可されたリソースで伝送される複製データのバージョンを決定するステップを実行するための命令を含む。
【００７４】
一例として、前記シグナリングは、ＲＲＣシグナリングまたはシステム情報を含む。
【００７５】
一例として、前記制御情報は、許可されたリソースの目的ユーザ装置を指示するためのユーザ装置ＩＤを含み、前記許可されたリソースで前記バージョンに対応するデータを伝送する側面で、前記プログラムは、具体的に、
前記許可されたリソースで前記ユーザ装置ＩＤの前記バージョンに対応するデータを伝送するステップを実行するための命令を含む。
【００７６】
一例として、前記制御情報は、ＳＣＩであり、前記指示情報は、前記ＳＣＩに新たに追加された第１のビット情報であり、前記ユーザ装置ＩＤは、前記ＳＣＩに新たに追加された第２のビット情報である。
【００７７】
前記図３に示された実施例と同様に、図８を参照すると、図８は、本発明の実施例によって提供されるネットワーク装置の構造模式図であり、図に示されたように、当該ネットワーク装置は、１つ以上のプロセッサ、１つ以上のメモリ、１つ以上のトランシーバおよび１つ以上のプログラムを含み、ここで、前記１つ以上のプログラムは、前記メモリに記憶されて、前記１つ以上のプロセッサによって実行されるように構成され、前記プログラムは、
許可されたリソースで伝送される複製データのバージョンを決定するための制御情報を構成し、
前記制御情報を送信するステップを実行するための命令を含む。
【００７８】
一例として、前記制御情報は、前記許可されたリソースで伝送される複製データのバージョンを指示するための指示情報を含む。
【００７９】
一例として、前記プログラムは、
キャリアと複製データのバージョンとのマッピング関係を搬送するシグナリングを送信し、前記キャリアと複製データのバージョンとのマッピング関係は、許可されたリソースで伝送される複製データのバージョンを決定するために使用されるステップをさらに実行するための命令を含む。
【００８０】
一例として、前記シグナリングは、ＲＲＣシグナリングまたはシステム情報を含む。
【００８１】
一例として、前記制御情報は、許可されたリソースの目的ユーザ装置を指示するためのユーザ装置ＩＤを含む。
【００８２】
一例として、前記制御情報はＳＣＩであり、前記指示情報は、前記ＳＣＩに新たに追加された第１のビット情報であり、前記ユーザ装置ＩＤは、前記ＳＣＩに新たに追加された第２のビット情報である。
【００８３】
上記は、主に各ネットワーク要素間の相互作用の観点から、本発明の実施例の技術案を説明した。ユーザ装置およびネットワーク装置は、前記機能を実現するために、各機能を実行するための対応するハードウェア構造および／またはソフトウェアモジュールを含むことが理解できる。当業者は、本明細書に開示される実施例で説明される様々な例の要素およびアルゴリズムステップと組み合わせて、ハードウェアまたはハードウェア及びコンピュータソフトウェアの組み合わせ形態で実現することができることを容易に理解するであろう。ある機能は、ハードウェアで実行するか、コンピュータソフトウェアがハードウェアを駆動する方式で実行するかは、技術的解決策の特定の応用及び設計上の制約に依存する。当業者は、説明された機能を実現するために、各特定の応用に対して異なる方法を使用することができるが、このような実現は本発明の範囲を離脱すると見なされるべきではない。
【００８４】
本発明の実施例は、前記方法の例示にしたがって、ユーザ装置およびネットワーク装置に対して、機能ユニットを分割してもよく、例えば、各機能に対応して各機能ユニットを分割してもよく、または２つ以上の機能を１つの処理ユニットに統合在してもよい。前記統合されたユニットは、ハードウェアの形態で実現してもよく、ソフトウェアプログラムモジュールの形態で実現してもよい。本発明の実施例におけるユニットの分割は模式的であり、論理的な機能分割に過ぎず、実際の実現は別の分割方法を有してもよいことに留意されたい。
【００８５】
統合されたユニットまたはモジュールを使用する場合、図９は、前記実施例に関するユーザ装置の１つの可能な機能ユニット構成のブロック図を示す。ユーザ装置９００は、処理ユニット９０１、通信ユニット９０２及び記憶ユニット９０３を含む。処理ユニット９０１は、ユーザ装置の動作に対して制御管理を実行するように構成され、通信ユニット９０２は、ユーザ装置と他の装置との通信をサポートするように構成され、記憶ユニット９０３は、ユーザ装置のプログラムコード及びデータを記憶するように構成される。処理ユニット９０１、通信ユニット９０２及び記憶ユニット９０３は、上記の方法によって実行されるステップをサポートするために使用され、ここでは説明されないことに留意されたい。
【００８６】
ここで、処理ユニット９０１は、プロセッサまたはコントローラであることができ、例えば、中央処理装置（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、トランジスタロジックデバイス、ハードウェアコンポーネントまたはそれらの任意の組み合わせであってもよい。本発明により開示された内容に組み合わせて説明された様々な例示的な論理ブロック、モジュールおよび回路を実現または実行することができる。前記プロセッサは、例えば、１つ以上のマイクロプロセッサの組み合わせ、ＤＳＰとマイクロプロセッサの組み合わせなどを含む計算機能を実現する組み合わせであってもよい。通信ユニット９０２は、トランシーバ、トランシーバ回路、無線周波数チップなどであってもよく、記憶ユニット９０３は、メモリであることができる。
【００８７】
処理ユニット９０１が、プロセッサである場合、通信ユニット９０２は、通信インターフェースであり、記憶ユニット９０３がメモリである場合、本発明の実施例に関するユーザ装置は、図７に示されたユーザ装置であり得る。
【００８８】
統合されたユニットまたはモジュールを使用する場合、図１０は、前記実施例に関するネットワーク装置の１つの可能な機能ユニット構成のブロック図を示す。ネットワーク装置１０００は、処理ユニット１００１、通信ユニット１００２および記憶ユニット１００３を含む。処理ユニット１００１は、ネットワーク装置の動作に対して制御管理を実行するように構成され、通信ユニット１００２は、ネットワーク装置と他の装置との通信をサポートするように構成され、記憶ユニット１００３は、ネットワーク装置のプログラムコード及びデータを記憶するように構成される。処理ユニット１００１、通信ユニット１００２および記憶ユニット１００３は、上記の方法によって実行されるステップをサポートするために使用され、ここでは説明されないことに留意されたい。
【００８９】
ここで、処理ユニット１００１は、プロセッサまたはコントローラであることができ、例えば、中央処理装置（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、トランジスタロジックデバイス、ハードウェアコンポーネントまたはそれらの任意の組み合わせであってもよい。本発明により開示された内容に組み合わせて説明された様々な例示的な論理ブロック、モジュールおよび回路を実現または実行することができる。前記プロセッサは、例えば、１つ以上のマイクロプロセッサの組み合わせ、ＤＳＰとマイクロプロセッサの組み合わせなどを含む計算機能を実現する組み合わせであってもよい。通信ユニット１００２は、トランシーバ、トランシーバ回路、無線周波数チップなどであってもよく、記憶ユニット１００３は、メモリであることができる。
【００９０】
処理ユニット１００１が、プロセッサである場合、通信ユニット１００２は、通信インターフェースであり、記憶ユニット１００３がメモリである場合、本発明の実施例に関するネットワーク装置は、図８に示されたネットワーク装置であり得る。
【００９１】
本発明の実施例は、さらに別のユーザ装置を提供し、図１１に示されたように、説明の便宜上、本発明の実施例に関連する部分のみを示して、開示されていない具体的な技術の詳細の部分は、本発明の実施例の方法の部分を参照してください。当該ユーザ装置は、携帯電話、タブレット、携帯情報端末（ＰＤＡ：Ｐｅｒｓｏｎａｌ  Ｄｉｇｉｔａｌ  Ａｓｓｉｓｔａｎｔ）、店頭端末（ＰＯＳ：Ｐｏｉｎｔ  ｏｆ  Ｓａｌｅｓ）、カーコンピュータなどを含む任意のユーザ装置であることができる。以下は、ユーザ装置が携帯電話である場合を例とする。
【００９２】
図１１は、本発明の実施例によって提供されるユーザ装置に関連する携帯電話の部分的な構造を示すブロック図である。図１１を参照すると、携帯電話は、無線周波数（Ｒａｄｉｏ  Ｆｒｅｑｕｅｎｃｙ、ＲＦ）回路９１０、メモリ９２０、入力ユニット９３０、表示ユニット９４０、センサ９５０、オーディオ９６０、ワイヤレス・フィディリティ（ＷｉＦｉ：Ｗｉｒｅｌｅｓｓ  Ｆｉｄｅｌｉｔｙ）モジュール９７０、プロセッサ９８０、および電源９９０などコンポーネントを含む。図１１に示す携帯電話の構造は、携帯電話に対する制限を構成せず、図示されたものよりも多いまたは少ないコンポーネントを含んでもよく、またはいくつかのコンポーネントまたは異なるコンポーネントの配置を組み合わせてもよいことは、当業者によって理解されるであろう。
【００９３】
以下は、図１１を参照して、携帯電話の各構成要素について詳細に説明する。
【００９４】
ＲＦ回路９１０は、情報を送受信するために使用されることができる。通常、ＲＦ回路９１０は、アンテナ、少なくとも１つの増幅器、トランシーバ、カプラ、低雑音増幅器（ＬＮＡ：Ｌｏｗ  Ｎｏｉｓｅ  Ａｍｐｌｉｆｉｅｒ）、デュプレクサなどを含むが、これらに限定されない。なお、ＲＦ回路９１０は、無線通信を介してネットワーク及び他の装置と通信することもできる。前記無線通信は、任意の通信規格またはプロトコルを使用することができ、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、汎用パケット無線サービス（ＧＰＲＳ：Ｇｅｎｅｒａｌ  Ｐａｃｋｅｔ  Ｒａｄｉｏ  Ｓｅｒｖｉｃｅ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）、広帯域コード分割多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、ロングタームエボリューション（ＬＴＥ：Ｌｏｎｇ  Ｔｅｒｍ  Ｅｖｏｌｕｔｉｏｎ）、電子メール、ショートメッセージサービス（ＳＭＳ：Ｓｈｏｒｔ  Ｍｅｓｓａｇｉｎｇ  Ｓｅｒｖｉｃｅ）などなどを含むがこれらに限定されない。
【００９５】
メモリ９２０は、ソフトウェアプログラムおよびモジュールを記憶するために使用されることができ、プロセッサ９８０は、メモリ９２０に記憶されたソフトウェアプログラムおよびモジュールを実行することにより、携帯電話の様々な機能応用およびデータ処理を実行する。メモリ９２０は、主にストレージプログラム領域およびストレージデータ領域を含むことができ、ここで、ストレージプログラム領域は、オペレーティングシステム、少なくとも１つの機能に必要なアプリケーションなどを記憶することができ、ストレージデータ領域は、携帯電話の使用によって作成されるデータなどを記憶することができる。なお、メモリ９２０は、高速ランダムアクセスメモリを含むことができ、少なくとも１つの磁気ディスク記憶装置、フラッシュメモリ装置または他の揮発性固体記憶装置などの不揮発性メモリも含むことができる。
【００９６】
入力ユニット９３０は、入力された数値または文字情報を受信し、携帯電話のユーザ設定および機能制御に関連するキー信号の入力を生成するために使用されることができる。具体的に、入力ユニット９３０は、指紋識別モジュール９３１および他の入力装置９３２を含むことができる。指紋識別モジュール９３１は、ユーザの指紋データを収集することができる。指紋識別モジュール９３１に加えて、入力ユニット９３０は、他の入力装置９３２も含み得る。具体的には、他の入力装置９３２は、タッチスクリーン、物理キーボード、ファンクションキー（ボリュームコントロールボタン、スイッチボタンなど）、トラックボール、マウス、ジョイスティックなどのうちの１種または複数が含まれるが、これらに限定されない。
【００９７】
表示ユニット９４０は、ユーザによって入力された情報またはユーザに提供された情報および携帯電話の様々なメニューを表示するために使用することができる。表示ユニット９４０は、ディスプレイスクリーン９４１含むことができ、選択的に、液晶ディスプレイ（ＬＣＤ：Ｌｉｑｕｉｄ  Ｃｒｙｓｔａｌ  Ｄｉｓｐｌａｙ）、有機発光ダイオード（ＯＬＥＤ：Ｏｒｇａｎｉｃ  Ｌｉｇｈｔ−Ｅｍｉｔｔｉｎｇ  Ｄｉｏｄｅ）などの形態でディスプレイスクリーン９４１を構成することができる。図１１では、指紋識別モジュール９３１およびディスプレイスクリーン９４１が２つの別個のコンポーネントとして携帯電話の入力及び入力機能を実現するが、いくつかの実施例では、指紋識別モジュール９３１とディスプレイスクリーン９４１を統合して携帯電話の入力及び再生機能を実現することができる。
【００９８】
携帯電話は、さらに、光センサ、モーションセンサおよび他のセンサなどの少なくとも１種のセンサ９５０を含んでもよい。具体的に、光センサは、環境光センサおよび近接センサを含むことができ、ここで、環境光センサは、環境光の明るさにしたがってディスプレイスクリーン９４１の輝度を調整することができ、近接センサは、携帯電話が耳に移動すると、ディスプレイスクリーン９４１および／またはバックライトをオフにすることができる。モーションセンサの１種として、加速度センサは各方向（通常は３軸）における加速度の大きさを検出することができ、静止しているときは重力の大きさと方向を検出することができて、携帯電話姿勢のアプリケーション（水平および垂直の画面切り替え、関連ゲーム、磁力計の姿勢のキャリブレーションなど）、振動認識関連機能（歩数計、タッピングなど）など認識することができる。携帯電話には、さらにジャイロスコープ、気圧計、湿度計、温度計、赤外線センサなどの他のセンサを構成することができるが、ここでは詳しく説明しない。
【００９９】
オーディオ９６０、スピーカ９６１、マイク９６２は、ユーザと携帯電話との間のオーディオインターフェースを提供することができる。オーディオ９６０は、受信したオーディオデータを電気信号に変換した後、スピーカ９６１に伝送し、スピーカ９６１によって音声信号に変換した後再生する。一方、マイク９６２は、収集された音声信号を電気信号に変換して、オーディオ９６０によって受信されてからオーディオデータに変換され、オーディオデータ再生プロセッサ９８０で処理した後、ＲＦ回路９１０を介して別の携帯電話に送信されるか、またはオーディオデータをメモリ９２０で再生されて更なる処理を行う。
【０１００】
ＷｉＦｉは、短距離無線伝送技術であり、携帯電話は、ＷｉＦｉモジュール９７０を介して、電子メールの送受信、Ｗｅｂページの閲覧及びストリーミングメディアへのアクセスなどをユーザに提供することができ、ユーザに無線のブロードバンドインターネットアクセスを提供する。図１１はＷｉＦｉモジュール９７０を示したが、携帯電話の必須的な構成に属しなく、本発明の本質を変更しない範囲内で必要に応じて省略することができることが理解できる。
【０１０１】
プロセッサ９８０は、携帯電話の制御センタであり、様々なインターフェース及びラインを使用して携帯電話の全体の各部分を接続し、メモリ９２０内に記憶されたソフトウェアプログラムおよび／またはモジュールを動作または実行し、およびメモリ９２０内に記憶されたデータを呼び出すことにより、携帯電話の様々な機能および処理データを実行して、それにより、携帯電話の全体を監視する。選択的に、プロセッサ９８０は、１つ以上の処理ユニットを含むことができ、好ましくて、プロセッサ９８０は、アプリケーションプロセッサとモデムプロセッサを統合することができ、ここで、アプリケーションプロセッサは、主に、オペレーティングシステム、ユーザインターフェース及びアプリケーションなどを処理し、モデムプロセッサは、主に、無線通信を処理する。前記モデムプロセッサは、プロセッサ９８０に統合されなくてもよいことが理解されるであろう。
【０１０２】
携帯電話は、各コンポーネントに電力を供給する電源９９０（バッテリーなど）も含み、好ましくて、電源は、電源管理システムを介してプロセッサ９８０に論理的に結合し、それにより、電源管理システムを介して、充電、放電、電力管理などの機能を管理することができる。
【０１０３】
図示されていないが、携帯電話は、さらにカメラ、ブルートゥースモジュールなどをさらに含むことができるが、ここでは詳細に説明しない。
【０１０４】
前述した図３、図５および図６に示された実施例において、各ステップ方法におけるユーザ装置側のプロセスは、当該携帯電話の構造に基づいて実現することができる。
【０１０５】
前述した図９に示された実施例において、各ユニット機能は、当該携帯電話の構造に基づいて実現することができる。
【０１０６】
本発明の実施例は、さらに、電子データ交換のためのコンピュータプログラムを記憶するコンピュータ読み取り可能な記憶媒体を提供し、ここで、前記コンピュータプログラムが、コンピュータに前記方法実施例においてユーザ装置に対して説明されたステップの一部または全部を実行させる。
【０１０７】
本発明の実施例は、さらに、電子データ交換のためのコンピュータプログラムを記憶するコンピュータ読み取り可能な記憶媒体を提供し、ここで、前記コンピュータプログラムが、コンピュータに前記方法実施例においてネットワーク装置に対して説明されたステップの一部または全部を実行させる。
【０１０８】
本発明の実施例は、さらに、コンピュータプログラムを記憶する非一時的なコンピュータ読み取り可能な記憶媒体を含むコンピュータプログラム製品を提供し、前記コンピュータプログラムが、コンピュータに前記方法においてユーザ装置に対して説明されたステップの一部または全部を実行させるように動作可能である。当該コンピュータプログラム製品は、１つのソフトウェアインストールパッケージであることができる。
【０１０９】
本発明の実施例は、さらに、コンピュータプログラムを記憶する非一時的なコンピュータ読み取り可能な記憶媒体を含むコンピュータプログラム製品を提供し、前記コンピュータプログラムが、コンピュータに前記方法実施例においてネットワーク装置に対して説明されたステップの一部または全部を実行させるように動作可能である。当該コンピュータプログラム製品は、１つのソフトウェアインストールパッケージであることができる。
【０１１０】
本発明の実施例で説明された方法またはアルゴリズムのステップは、ハードウェアで実現されてもよく、ソフトウェア命令を実行するプロセッサによって実現されてもよい。ソフトウェア命令は、対応するソフトウェアモジュールによって構成されることができ、ソフトウェアモジュールは、ランダムアクセスメモリ（ＲＡＭ：Ｒａｎｄｏｍ  Ａｃｃｅｓｓ  Ｍｅｍｏｒｙ）、フラッシュメモリ、読み取り専用メモリ（ＲＯＭ：Ｒｅａｄ  Ｏｎｌｙ  Ｍｅｍｏｒｙ）、消去可能プログラマブル読み取り専用メモリ（ＥＰＲＯＭ：Ｅｒａｓａｂｌｅ  Ｐｒｏｇｒａｍｍａｂｌｅ  ＲＯＭ）、電気的消去可能プログラマブル読み取り専用メモリ（ＥＥＰＲＯＭ：Ｅｌｅｃｔｒｉｃａｌｌｙ  ＥＰＲＯＭ）、レジスタ、ハードディスク、リムーバブルハードディスク、コンパクトディスクリードオンリーメモリ（ＣＤ−ＲＯＭ）または当技術分野で既知のその他のいずれの形態の記憶媒体に記憶されてもよい。ある例示的な記憶媒体は、プロセッサが当該記憶媒体から情報を読み取り、当該記憶媒体に情報を書き込むことができるように、プロセッサに結合される。もちろん、記憶媒体は、プロセッサの構成部分であることもできる。プロセッサおよび記憶媒体は、ＡＳＩＣに配置されることができる。さらに、当該ＡＳＩＣは、アクセスネットワーク装置、目標ネットワーク装置またはコアネットワーク装置に配置されることができる。もちろん、プロセッサおよび記憶媒体は、アクセスネットワーク装置、目標ネットワーク装置またはコアネットワーク装置に個別のコンポーネントとして存在することもできる。
【０１１１】
当業者は、前記１つ以上の示例において、本発明の実施例で説明された機能は、ソフトウェア、ハードウェア、ファームウェアまたはそれらの任意の組み合わせによって全体的または部分的に実現することができることを理解すべきである。ソフトウェアを使用して実現する場合、コンピュータプログラム製品の形態で全体的または部分的に実現することができる。前記コンピュータプログラム製品は、１つ以上のコンピュータ命令を含む。コンピュータに前記コンピュータプログラム命令をロードして実行する場合、本発明の実施例に記載のプロセスまたは機能を全体的または部分的に生成する。前記コンピュータは、汎用コンピュータ、専用コンピュータ、コンピュータネットワーク、または他のプログラマブル装置であり得る。前記コンピュータ命令は、コンピュータ読み取り可能な記憶媒体に記憶され、または１つのコンピュータ読み取り可能な記憶媒体から別のコンピュータ読み取り可能な記憶媒体に伝送することができ、例えば、前記コンピュータ命令は、有線（例えば、同軸ケーブル、光ファイバ、デジタル加入者線（ＤＳＬ：Ｄｉｇｉｔａｌ  Ｓｕｂｓｃｒｉｂｅｒ  Ｌｉｎｅ））または無線（例えば、赤外線、無線、マイクロ波等）を介して、１つのＷｅｂサイト、コンピュータ、サーバまたはデータセンタから別のＷｅｂサイト、コンピュータ、サーバまたはデータセンタに伝送することができる。前記コンピュータ読み取り可能な記憶媒体は、コンピュータがアクセス可能ないずれの利用可能な媒体であり、または１つ以上の利用可能な媒体によって統合されたサーバ、データセンタなどのデータ記憶装置であることができる。前記利用可能な媒体は、磁気媒体（例えば、フロッピーディスク、ハードディスク、磁気テープ）、光学媒体（例えば、デジタルビデオディスク（ＤＶＤ：Ｄｉｇｉｔａｌ  Ｖｉｄｅｏ  Ｄｉｓｃ））、または半導体媒体（例えば、ソリッドステートハードディスク（ＳＳＤ：Ｓｏｌｉｄ  Ｓｔａｔｅ  Ｄｉｓｋ））などであり得る。
【０１１２】
上記した具体的な実施形態は、本発明の実施例の目的、技術的解決策及び有利な効果に対してより詳しく説明したが、上記の説明は、単なる本発明の実施例の具体的な実施形態に過ぎず、本発明の実施例の保護範囲を限定することを意図するものではなく、本発明の実施例の技術的解決策に基づいて行われるあらゆる修正、同等の置換、改善などは、本発明の実施例の保護範囲に含まれるべきであることを理解されたい。
【図１】
2020533821.tif 000004
【図２】
2020533821.tif 000005
【図３】
2020533821.tif 000006
【図４】
2020533821.tif 000007
【図５】
2020533821.tif 000008
【図６】
2020533821.tif 000009
【図７】
2020533821.tif 000010
【図８】
2020533821.tif 000011
【図９】
2020533821.tif 000012
【図１０】
2020533821.tif 000013
【図１１】
2020533821.tif 000014
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
データスケジューリング方法であって、
ユーザ装置が、ネットワーク装置からの制御情報を受信することと、
前記ユーザ装置が、前記制御情報にしたがって、許可されたリソースで伝送される複製データのバージョンを決定することと、
前記ユーザ装置が、前記許可されたリソースで、前記バージョンに対応するデータを伝送することと、を含む、前記データスケジューリング方法。
【請求項２】
前記制御情報は、前記許可されたリソースで伝送される複製データのバージョンを指示するための指示情報を含み、前記ユーザ装置が、前記制御情報にしたがって、許可されたリソースで伝送される複製データのバージョンを決定することは、
前記ユーザ装置が、前記指示情報にしたがって、許可されたリソースで伝送される複製データのバージョンを決定することを含む、
請求項１に記載の方法。
【請求項３】
前記方法は、
前記ユーザ装置が、前記ネットワーク装置からのシグナリングを受信することであって、前記シグナリングは、キャリアと複製データのバージョンとのマッピング関係を搬送することをさらに含み、
前記ユーザ装置が、前記制御情報にしたがって、許可されたリソースで伝送される複製データのバージョンを決定することは、
前記ユーザ装置が、前記キャリアと複製データのバージョンとのマッピング関係にしたがって、許可されたリソースで伝送される複製データのバージョンを決定することを含む、
請求項１に記載の方法。
【請求項４】
前記シグナリングは、無線リソース制御（ＲＲＣ）シグナリングまたはシステム情報を含む、
請求項３に記載の方法。
【請求項５】
前記制御情報は、許可されたリソースの目的ユーザ装置を指示するためのユーザ装置アイデンティティ（ＩＤ）を含み、前記ユーザ装置が、前記許可されたリソースで、前記バージョンに対応するデータを伝送することは、
前記ユーザ装置が、前記許可されたリソースで前記ユーザ装置ＩＤの前記バージョンに対応するデータを伝送することを含む、
請求項１ないし４のいずれか一項に記載の方法。
【請求項６】
前記制御情報は、サイドリンク制御情報（ＳＣＩ）であり、前記指示情報は、前記ＳＣＩに新たに追加された第１のビット情報であり、前記ユーザ装置ＩＤは、前記ＳＣＩに新たに追加された第２のビット情報である、
請求項２または５に記載の方法。
【請求項７】
データスケジューリング方法であって、
ネットワーク装置が制御情報を構成することであって、前記制御情報は、許可されたリソースで伝送される複製データのバージョンを決定するために使用されることと、
前記ネットワーク装置が前記制御情報を送信することと、を含む、前記データスケジューリング方法。
【請求項８】
前記制御情報は、前記許可されたリソースで伝送される複製データのバージョンを指示するために使用される前記指示情報を含む、
請求項７に記載の方法。
【請求項９】
前記方法は、
前記ネットワーク装置は、キャリアと複製データのバージョンとのマッピング関係を搬送するシグナリングを送信することであって、前記キャリアと複製データのバージョンとのマッピング関係は、許可されたリソースで伝送される複製データのバージョンを決定するために使用されることをさらに含む、
請求項７に記載の方法。
【請求項１０】
前記シグナリングは、無線リソース制御（ＲＲＣ）シグナリングまたはシステム情報を含む、
請求項９に記載の方法。
【請求項１１】
前記制御情報は、許可されたリソースの目的ユーザ装置を指示するためのユーザ装置アイデンティティ（ＩＤ）を含む、
請求項７ないし１０のいずれか一項に記載の方法。
【請求項１２】
前記制御情報は、サイドリンク制御情報（ＳＣＩ）であり、前記指示情報は、前記ＳＣＩに新たに追加された第１のビット情報であり、前記ユーザ装置ＩＤは、前記ＳＣＩに新たに追加された第２のビット情報である、
請求項８または１０に記載の方法。
【請求項１３】
通信ユニットおよび処理ユニットを含むユーザ装置であって、
前記処理ユニットは、前記通信ユニットによって、ネットワーク装置からの制御情報を受信し、前記制御情報にしたがって、許可されたリソースで伝送される複製データのバージョンを決定し、前記通信ユニットによって、前記許可されたリソースで、前記バージョンに対応するデータを伝送するために使用される、前記ユーザ装置。
【請求項１４】
１つ以上のプロセッサ、１つ以上のメモリ、１つ以上のトランシーバ、および１つ以上のプログラムを含むユーザ装置であって、
前記１つ以上のプログラムは、前記メモリに記憶されて、前記１つ以上のプロセッサによって実装されるように構成され、前記プログラムは、請求項１ないし６のいずれか一項に記載の方法におけるステップを実行するための命令を含む、前記ユーザ装置。
【請求項１５】
１つ以上のプロセッサ、１つ以上のメモリ、１つ以上のトランシーバ、および１つ以上のプログラムを含むネットワーク装置であって、
前記１つ以上のプログラムは、前記メモリに記憶されて、前記１つ以上のプロセッサによって実行されるように構成され、前記プログラムは、請求項７ないし１２のいずれか一項に記載の方法におけるステップを実行するための命令を含む、前記ネットワーク装置。
【手続補正２】
【補正対象書類名】図面
【補正対象項目名】図６
【補正方法】変更
【補正の内容】
【図６】
2020533821.tif 000015
【手続補正３】
【補正対象書類名】図面
【補正対象項目名】図９
【補正方法】変更
【補正の内容】
【図９】
2020533821.tif 000016
【手続補正４】
【補正対象書類名】図面
【補正対象項目名】図１０
【補正方法】変更
【補正の内容】
【図１０】
2020533821.tif 000017
【国際調査報告】
2020533821.tif 000018
2020533821.tif 000019
2020533821.tif 000020
2020533821.tif 000021